(57)【要約】【課題】  作業性が良好で且つ製作が容易な床蓋付き開口部用安全柵を提供することである。【解決手段】  本発明の床蓋付き開口部用安全柵は、開口部の四辺を囲むようにそれぞれ配置された安全柵構造体を備え、各安全柵構造体が、複数の支柱と、開口部の周囲の各支柱の下端付近にそれぞれ固定されたブラケットと、各ブラケットに設けられた孔に通され、一端が一方の端の支柱の下端に固定され、他端が他方の端の支柱の下端に固定されたロッドとを有し、各支柱が、ロッドの長さ方向軸線を中心として回転するようになっており、各安全柵構造体には、支柱を倒すとロッドに捩じりが付与されるように構成された捩じり付与機構が配置されていることを特徴とする。【選択図】  図１
2008057145.tif 000002
【特許請求の範囲】
【請求項１】
床蓋付き開口部用安全柵であって、
前記開口部の四辺を囲むようにそれぞれ配置された安全柵構造体を備え、
各安全柵構造体が、複数の支柱と、前記開口部の周囲の各支柱の下端付近にそれぞれ固定されたブラケットと、前記各ブラケットに設けられた孔に通され、一端が一方の端の支柱の下端に固定され、他端が他方の端の支柱の下端に固定されたロッドとを有し、
各支柱が、前記ロッドの長さ方向軸線を中心として回転するようになっており、
各安全柵構造体には、前記支柱を倒すと前記ロッドに捩じりが付与されるように構成された捩じり付与機構が配置されていることを特徴とする安全柵。
【請求項２】
前記捩じり付与機構が、前記支柱の直立状態において前記ブラケットのいずれかと前記ロッドの所定箇所とが一体化され、これにより前記支柱を倒すと前記ロッドに捩じりが付与されるように構成されていることを特徴とする請求項１に記載の安全柵。
【発明の詳細な説明】
【技術分野】
【０００１】
本発明は一般に、床蓋付き開口部用安全柵に関する。より詳細には、本発明は、作業性が良好で且つ製作が容易な床蓋付き開口部用安全柵に関する。
【背景技術】
【０００２】
下水処理施設等の多層階建造物においては、各階の床に機器の搬入・搬出用の開口部が設けられている。このような開口部は通常、複数枚の床蓋によって閉鎖され、通路として有効利用されている。また、このような開口部は、躓きを防止すべく、床面と均一になるように設置されており、通常は手摺などの安全設備を必要としない。
【０００３】
一方、開口部を使用して機器の搬入・搬出を行う場合には、複数類に分割された床蓋を２名の作業員で１枚ずつ取り外さなければならないが、このような際に、作業員が開口部から墜落したり床蓋などを落下させたりするおそれがあり、非常に危険な作業となるため、床蓋を取り外す前に開口部の周囲に手摺等を設置する方法が一般的である。しかし、このような方法は、手摺の外側から手を延ばす不自然な作業となる、床蓋を手摺りの外側に出さなければならず床蓋を開口部から落下させるおそれがある、手摺等の安全設備の搬入・搬出や組立・解体作業を必要とするので作業が非効率である、等の種々の不都合があるため、開口部を養生するための種々の方法が提案されている。
【０００４】
例えば、特許文献１には、端部を平坦にした棒材を横桟のスリットに対して嵌めるようにし、棒材の端部がスリットに内向きに設けられた対向挟持片によって挟持され横桟に保持されるようになった安全柵が開示されている。また、特許文献２には、ハッチの広さを有効に利用でき、天井の低い場所における機器類の搬入・搬出を可能にし、ハッチ内への作業者の立入りを可能にし、狭いハッチにおいても十分な高さを有するハッチ安全柵が開示されている。
【０００５】
【特許文献１】特開平５−１９３７０５号公報
【特許文献２】特開平９−２５６６５８号公報
【発明の開示】
【発明が解決しようとする課題】
【０００６】
しかしながら、特許文献１に記載された安全柵では、作業の都度、手摺の組立・解体を行う必要があるため、作業に手間がかかり非常に非効率的であるという課題がある。また、特許文献２に記載された安全柵では、既存施設を改造する場合には、床面開口部周囲の梁構造体をはつる必要性があるため、建築構造物の強度不足を招来するという課題がある。このように、従来の開口部用安全柵には、満足すべきものが見当たらないのが現状である。
【０００７】
本発明は、このような状況に鑑みて案出されたものであって、作業性が良好で且つ製作が容易な床蓋付き開口部用安全柵を提供することを目的としている。
【課題を解決するための手段】
【０００８】
本願請求項１に記載の床蓋付き開口部用安全柵は、前記開口部の四辺を囲むようにそれぞれ配置された安全柵構造体を備え、各安全柵構造体が、複数の支柱と、前記開口部の周囲の各支柱の下端付近にそれぞれ固定されたブラケットと、前記各ブラケットに設けられた孔に通され、一端が一方の端の支柱の下端に固定され、他端が他方の端の支柱の下端に固定されたロッドとを有し、各支柱が、前記ロッドの長さ方向軸線を中心として回転するようになっており、各安全柵構造体には、前記支柱を倒すと前記ロッドに捩じりが付与されるように構成された捩じり付与機構が配置されていることを特徴とするものである。
【０００９】
本願請求項２に記載の床蓋付き開口部用安全柵は、前記請求項１の安全柵において、前記捩じり付与機構が、前記支柱の直立状態において前記ブラケットのいずれかと前記ロッドの所定箇所とが一体化され、これにより前記支柱を倒すと前記ロッドに捩じりが付与されるように構成されていることを特徴とするものである。
【発明の効果】
【００１０】
本発明により、既存の床蓋付き開口部設備において床蓋箇所に安全柵が提供されるので、作業時に作業員や床蓋の墜落・落下などの被害を防止することができる。また、発明の床蓋付き開口部用安全柵は、新設の設備においても使用することができる。また、本発明の安全柵では、捩じり付与機構が配置されているので、安全柵を容易に直立状態にすることができ、迅速な作業の実施が可能になる。さらに、本発明の安全柵は、構造が簡単であるため製作が容易であり、安価に提供することができる。
【発明を実施するための最良の形態】
【００１１】
次に図面を参照して、本発明の好ましい実施の形態に係る床蓋付き開口部用安全柵について詳細に説明する。図１は、本発明の好ましい実施の形態に係る床蓋付き開口部用安全柵が直立している状態を示した斜視図である。図１において全体として参照符号１０で示される床蓋付き開口部用安全柵は、矩形の開口部の四辺を囲むように配置された第１安全柵構造体１２ａ、第２安全柵構造体１２ｂ、第３安全柵構造体１２ｃおよび第４安全柵構造体１２ｄとを有している。対向する第１および第２安全柵構造体１２ａ、１２ｂは実質的に同一の構造を有しており、対向する第３および第４安全柵構造体１２ｃ、１２ｄは実質的に同一の構造を有している。
【００１２】
まず、主として図２および図３を参照して、第１安全柵構造体１２ａについて説明する。第１安全柵構造体１２ａは、第１支柱１４と、第２支柱１６と、床Ｆの開口部の周囲の一辺の第１支柱１４の下端付近に固定された第１ブラケット１８と、床Ｆの開口部の周囲の一辺の第２支柱１６の下端付近に固定された第２ブラケット２０とを備えている。
【００１３】
第１ブラケット１８は、平面視でＴ形の形状を有している。すなわち、第１ブラケット１８は、矩形のプレート状の第１部分１８ａと、第１部分１８ａのほぼ中央において第１部分１８ａに対してほぼ直交するように配置された第２部分１８ｂとを有している。第１部分１８ａには、第１ブラケット１８を開口部の周囲に固定する際に用いるボルト用孔１８ａ１が設けられている。また、第２部分１８ｂには、後述するロッドを通すための円形の孔１８ｂ１が設けられている。
【００１４】
第２ブラケット２０も、第１ブラケット１８と同様に、平面視でＴ形の形状を有している。すなわち、第２ブラケット２０は、矩形のプレート状の第１部分２０ａと、第１部分２０ａのほぼ中央において第１部分２０ａに対してほぼ直交するように配置された第２部分２０ｂとを有している。第１部分２０ａには、第２ブラケット２０を開口部の周囲に固定する際に用いるボルト用孔２０ａ１が設けられている。また、第２部分２０ｂには、後述するロッドを通すための円形の孔２０ｂ１が設けられている。
【００１５】
第１安全柵構造体１２ａは又、第１ブラケット１８の第２部分１８ｂの孔１８ｂ１および第２ブラケット２０の第２部分２０ｂの孔２０ｂ１に通され、一端が第１支柱１４の下端に固定され、他端が第２支柱１６の下端に固定されたロッド２２を備えている。ロッド２２は矩形の横断面を有し、ロッド２２が通される孔１８ｂ１および孔２０ｂ１はロッド２２の横断面の対角線よりも僅かに大きな直径を有しており、これにより、第１支柱１４および第２支柱１６は、ロッド２２の長さ方向軸線を中心として回転するようになっている。
【００１６】
第１安全柵構造体１２ａは更に、ロッド２２に捩じりを付与するための捩じり付与機構２４を備えている。捩じり付与機構２４は、ロッド２２の第２ブラケット２０に隣接する箇所に取り付けられた調整金具２４ａと、第２ブラケット２０の第２部分２０ｂに弧状をなすように設けられた一連の孔２４ｂ１，２４ｂ２，２４ｂ３，２４ｂ４，２４ｂ５とを有している。調整金具２４ａは、図４に最も良く示されるように、ロッド２２の横断面寸法とほぼ同じ大きさをもつリング２４ａ１と、リング２４ａ１の周縁部の一部に設けられたタグ２４ａ２と、タグ２４ａ２に設けられた孔２４ａ３とを有している。いま、図３において一点鎖線で示されるように、ボルト２６が孔２４ａ３と孔２４ｂ１に通され、調整金具２４ａと第２ブラケット２０の第２部分２０ｂが一体化しているものとする。すると、図３に示されるような第１および第２支柱１４、１６が直立している状態では、ロッド２２に捩じりが付与されていないが、第１および第２支柱１４、１６を倒すと、ロッド２２は第１ブラケット１８の箇所で回転する一方、第２ブラケット２０の箇所で固定されているため、捩じりが付与されることになる。したがって、第１および第２支柱１４、１６を一旦倒した後、手を離すと、捩じられているロッド２２が元に戻ろうとする力により、第１および第２支柱１４、１６が容易に直立状態になろうとする。
【００１７】
なお、孔２４ｂ１以外の孔２４ｂ２，２４ｂ３，２４ｂ４，２４ｂ５のいずれかにボルト２６を通すことにより、ロッド２２に付与される捩じりの大きさが変えられるので、第１および第２支柱１４、１６が直立状態になろうとする際の復元力を調整することができる。
【００１８】
第２安全柵構造体１２ｂにも、第１安全柵構造体１２ａと同様に、捩じり付与機構が設けられている。
【００１９】
次に、第３安全柵構造体１２ｃについて説明する。第３安全柵構造体１２ｃは、支柱の本数が３本である点を除いて、第１安全柵構造体１２ａと実質的に同一の構成を有している。主として図５および図６を参照して、より詳細に説明すると、第３安全柵構造体１２ｃは、第３支柱３０と、第４支柱３２と、第３支柱３０と第４支柱３２との間に位置する第５支柱３４と、床Ｆの開口部の周囲の一辺の第３支柱３０の下端付近固定された第３ブラケット３６と、床Ｆの開口部の周囲の一辺の第４支柱３２の下端付近固定された第４ブラケット３８と、床Ｆの開口部の周囲の一辺の第５支柱３４の下端付近固定された第５ブラケット４０とを備えている。
【００２０】
第３ブラケット３６および第４ブラケット３８は、平面視でＴ形の形状を有している。すなわち、第３ブラケット３６は、矩形のプレート状の第１部分３６ａと、第１部分３６ａのほぼ中央において第１部分３６ａに対してほぼ直交するように配置された第２部分３６ｂとを有している。第１部分３６ａには、第１ブラケット３６を開口部の周囲に固定する際に用いるボルト用孔３６ａ１が設けられている。第２部分３６ｂには、後述するロッドを通すための円形の孔３６ｂ１が設けられている。また、第４ブラケット３８は、矩形のプレート状の第１部分３８ａと、第１部分３８ａのほぼ中央において第１部分３８ａに対してほぼ直交するように配置された第２部分３８ｂとを有している。第１部分３８ａには、第１ブラケット３８を開口部の周囲に固定する際に用いるボルト用孔３８ａ１が設けられている。第２部分３８ｂには、ロッドを通すための円形の孔３８ｂ１が設けられている。
【００２１】
第５ブラケット４０は、平面視でπ形の形状を有している。すなわち、第５ブラケット４０は、矩形のプレート状の第１部分４０ａと、第１部分４０ａに対してほぼ直交するように配置された第２部分４０ｂおよび第３部分４０ｃとを有している。第１部分４０ａには、第５ブラケット４０を開口部の周囲に固定する際に用いるボルト用孔４０ａ１が設けられている。また、第２部分４０ｂおよび第３部分４０ｃには、ロッドを通すための円形の孔４０ｂ１、４０ｃ１がそれぞれ設けられている。
【００２２】
第３安全柵構造体１２ｃは又、第３ブラケット３６の第２部分３６ｂの孔３６ｂ１、第４ブラケット３８の第２部分３８ｂの孔３８ｂ１および第５ブラケット４０の第２部分４０ｂの孔４０ｂ１、第３部分４０ｃの孔４０ｃ１に通され、一端が第３支柱３０の下端に固定され、他端が第４支柱３２の下端に固定されたロッド４２を備えている。ロッド４２は矩形の横断面を有し、ロッド４２が通される孔３６ｂ１、孔３８ｂ１、孔４０ｂ１および孔４０ｃ１はロッド２２の横断面の対角線よりも僅かに大きな直径を有しており、これにより、第３支柱３０、第４支柱３２および第５支柱３４は、ロッド４２の長さ方向軸線を中心として回転するようになっている。
【００２３】
第３安全柵構造体１２ｃは更に、ロッド４２に捩じりを付与するための捩じり付与機構４４を備えている。捩じり付与機構４４は、ロッド４２の第５ブラケット４０に隣接する箇所に取り付けられた調整金具４４ａと、第５ブラケット４０の第２部分４０ｂに弧状をなすように設けられた一連の孔４４ｂ１，４４ｂ２，４４ｂ３，４４ｂ４，４４ｂ５とを有している。調整金具４４ａは、ロッド４２の横断面寸法とほぼ同じ大きさをもつリング４４ａ１と、リング４４ａ１の周縁部の一部に設けられたタグ４４ａ２と、タグ４４ａ２に設けられた孔４４ａ３とを有している。いま、ボルト４６が孔４４ａ３と孔４４ｂ１に通され、調整金具４４ａと第５ブラケット４０の第２部分４０ｂが一体化しているものとする。すると、第３、第４および第５支柱３０、３２、３４が直立している状態では、ロッド４２に捩じりが付与されていないが、第３、第４および第５支柱３０、３２、３４を倒すと、ロッド４２は第３ブラケット３６および第４ブラケット３８の箇所で回転する一方、第５ブラケット４０の箇所で固定されているため、捩じりが付与されることになる。したがって、第３、第４および第５支柱３０、３２、３４を一旦倒した後、手を離すと、第１安全柵構造体１２ａと同様に、捩じられているロッド４２が元に戻ろうとする力により、第３、第４および第５支柱３０、３２、３４が容易に直立状態になろうとする。
【００２４】
なお、第１安全柵構造体１２ａにおいても、第３安全柵構造体１２ｃにおいても、各支柱は、水平部材で互いに連結されている。
【００２５】
次に、以上にように構成された床蓋付き開口部用安全柵がどのように使用されるかについて説明する。図７は、床蓋付き開口部用安全柵１０の使用に関する一連の動作を示した図である。図７（ａ）は、床蓋付き開口部用安全柵１０が倒されている状態を示した図である。床蓋を取り外そうとする場合には、まず、第３安全柵構造体１２ｃを直立状態にし（図７（ｂ）参照）、次いで、第４安全柵構造体１２ｄを直立状態にし（図７（ｃ）参照）、次いで、第１安全柵構造体１２ａを直立状態にし（図７（ｄ）参照）、最後に、第２安全柵構造体１２ｂを直立状態にする（図７（ｅ）参照）。しかる後、床蓋を取り外す。取り外した床蓋を取り付ける場合には、上述の手順と逆の手順で作業を行う。
【００２６】
なお、各安全柵構造体１２ａ〜１２ｄを倒した状態において各安全柵構造体がほぼ水平になるように、図８に示されるように、各安全柵構造体の取り付け高さをずらして配置するのが好ましい。
【００２７】
本発明は、以上の発明の実施の形態に限定されることなく、特許請求の範囲に記載された発明の範囲内で、種々の変更が可能であり、それらも本発明の範囲内に包含されるものであることはいうまでもない。
【００２８】
例えば、前記実施の形態では、矩形のロッドの横断面寸法とほぼ同じ大きさをもつリングと、リングの周縁部の一部に設けられたタグと、タグに設けられた孔とを有する調整金具を配置し、タグの孔とブラケットの孔にボルトを通すことによって、調整金具とブラケットが一体化するようになっているが、支柱を倒すとロッドに捩じりが付与され、捩じられているロッドが元に戻ろうとする力により、支柱が容易に直立状態になろうとするようになっているものであれば、捩じり付与機構を他の構成にしてもよい。また、ブラケットの形状を前記実施の形態に示したものと異なる形状にしてもよい。
【図面の簡単な説明】
【００２９】
【図１】本発明の好ましい実施の形態に係る床蓋付き開口部用安全柵が直立している状態を示した斜視図である。
【図２】第１安全柵構造体が配置されている状態を示した斜視図である。
【図３】図２の部分拡大斜視図である。
【図４】捩じり付与機構の調整金具を示した拡大斜視図である。
【図５】第３安全柵構造体が配置されている状態を示した斜視図である。
【図６】図５の部分拡大斜視図である。
【図７】床蓋付き開口部用安全柵の使用に関する一連の動作を示した図である。
【図８】各安全柵構造体の取り付け高さの一例を模式的に示した図である。
【符号の説明】
【００３０】
１０  床蓋付き開口部用安全柵
１２ａ、１２ｂ、１２ｃ、１２ｄ  安全柵構造体
１４、１６、３０、３２、３４  支柱
１８、２０、３６、３８、４０  ブラケット
２２、４２  ロッド
２４、４４  捩じり付与機構
【図１】
2008057145.tif 000003
【図２】
2008057145.tif 000004
【図３】
2008057145.tif 000005
【図４】
2008057145.tif 000006
【図５】
2008057145.tif 000007
【図６】
2008057145.tif 000008
【図７】
2008057145.tif 000009
【図８】
2008057145.tif 000010